Podtech/llm-jp-corpus-v4-ja_patent huggingface dataset:
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
人工シャトルコックに運用される複数の羽根であって、前記複数の羽根の各々が複数の羽軸部及びコルクと結合して前記人工シャトルコックを形成し、
前記複数の羽根は、
前記複数の羽軸部の一つに連結され、前記コルクから間隔を空けて配置される連結部と、
前記連結部に連結され、前記コルクに対向して延び、複数の低空気抵抗領域と高空気抵抗領域とを有し、前記低空気抵抗領域が５〜４０個であり、前記低空気抵抗領域が各々高空気抵抗領域内に囲まれる抵抗部と、を含み、
前記複数の羽軸部が、前記コルクと前記複数の羽根の前記連結部の間に接続されないこと、
を特徴とする複数の羽根。
【請求項２】
各前記低空気抵抗領域の長さは、０．３ｍｍ〜２．６ｍｍであり、前記羽根は、密度が０．９ｇ／ｃｍ３〜１．４８ｇ／ｃｍ３のプラスチック又は密度が１．４ｇ／ｃｍ３〜１．９ｇ／ｃｍ３のガラス繊維で製造されることを特徴とする請求項1に記載の複数の羽根。
【請求項３】
前記連結部が、長直状を呈し、かつ前記羽軸部に連結されることを特徴とする請求項２に記載の複数の羽根。
【請求項４】
前記高空気抵抗領域が前記連結部を環囲し、前記抵抗部に複数の仮想参考線を設け、前記低空気抵抗領域の各々が前記参考線上に設けられることを特徴とする請求項３に記載の複数の羽根。
【請求項５】
前記複数の参考線と前記複数の羽根の前記連結部の間の交角は、各々４０〜８０度であることを特徴とする請求項４に記載の複数の羽根。
【請求項６】
前記複数の参考線と前記複数の羽根の前記連結部の間の交角は、各々６５度であることを特徴とする請求項４に記載の複数の羽根。
【請求項７】
前記複数の低空気抵抗領域が、針状棒で前記高空気抵抗領域を挿通して形成されることを特徴とする請求項２に記載の複数の羽根。
【請求項８】
各前記羽根が、略凧形を呈し、長対角線と短対角線とを有し、前記長対角線の長さは３０ｍｍ〜４５ｍｍであり、前記短対角線の長さは１０ｍｍ〜２０ｍｍであり、前記参考線の間は１ｍｍ〜２１ｍｍの間隔であることを特徴とする請求項７に記載の複数の羽根。
【請求項９】
前記複数の低空気抵抗領域の面積が、２２ｃｍ２より小さいか又は等しいことを特徴とする請求項２に記載の複数の羽根。
【請求項１０】
コルクと、
一端が前記コルクに挿設された複数の羽軸部と、
前記羽軸部の他端に各々設けられた複数の請求項１〜９のいずれか一項に記載の複数の羽根と、
を含むことを特徴とするシャトルコック。
【手続補正２】
【補正対象書類名】明細書
【補正対象項目名】００２９
【補正方法】変更
【補正の内容】
【００２９】
上記は実施例であり、本発明はそのような実施例にのみ限定して狭義に解釈されるべきものではない。例えば、本発明の基本構造から逸脱しない場合、均しく本発明が主張する権利範囲に属し、特許請求の範囲に準ずる。
〔付記１〕
人工シャトルコックに運用される羽根であって、複数の前記羽根が各々複数の羽軸部及びコルクと結合して前記人工シャトルコックを形成し、前記羽根は、
前記羽軸部に連結する連結部と、
前記連結部に連結し、複数の低空気抵抗領域と高空気抵抗領域とを包括し、前記低空気抵抗領域が各々高空気抵抗領域内に囲まれる抵抗部と、
を含むことを特徴とする羽根。
〔付記２〕
前記連結部が、長直状を呈し、かつ前記羽軸部に連結することを特徴とする付記１に記載の羽根。
〔付記３〕
前記高空気抵抗領域が前記連結部を環囲し、前記抵抗部に複数の仮想参考線を設け、前記低空気抵抗領域が各々前記仮想参考線上に設けられることを特徴とする付記２に記載の羽根。
〔付記４〕
前記仮想参考線と前記連結部の間の交角は、各々４０〜８０度とすることを特徴とする付記３に記載の羽根。
〔付記５〕
前記仮想参考線と前記連結部の間の交角は、各々６５度とすることを特徴とする付記４に記載の羽根。
〔付記６〕
各前記低空気抵抗領域の長さは、０．３ｍｍ〜２．６ｍｍとすることを特徴とする付記５に記載の羽根。
〔付記７〕
前記羽根は、密度が０．９ｇ／ｃｍ３〜１．４８ｇ／ｃｍ３のプラスチック又は密度が１．４ｇ／ｃｍ３〜１．９ｇ／ｃｍ３のガラス繊維で製造されることを特徴とする付記６に記載の羽根。
〔付記８〕
前記低空気抵抗領域が、針状棒で前記高空気抵抗領域を挿通して形成されることを特徴とする付記７に記載の羽根。
〔付記９〕
前記羽根が、略凧形を呈し、長対角線と短対角線とを有し、前記長対角線の長さは３０ｍｍ〜４５ｍｍで、前記短対角線の長さが１０ｍｍ〜２０ｍｍとし、前記参考線の間は１ｍｍ〜２１ｍｍの間隔とすることを特徴とする付記８に記載の羽根。
〔付記１０〕
前記低空気抵抗領域の面積が、２２ｃｍ２より小さいか又は等しいことを特徴とする付記６に記載の羽根。
〔付記１１〕
コルクと、
一端が前記コルクに挿設された複数の羽軸部と、
前記羽軸部の他端に各々設けられた複数の付記１〜１０のいずれか一項に記載の羽根と、
を含むことを特徴とするシャトルコック。
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
カテーテルであって、
対象の身体管腔の中への挿入のために構成されている細長いカテーテル体であって、前記カテーテル体は、対向する遠位端および近位端と、前記遠位端と前記近位端との間に延びている縦軸と、前記縦軸に沿って延びている内部組織移送通路とを有する、カテーテル体と、
前記内部組織移送通路を通って軸方向に延びているドライブシャフトであって、その縦軸の周りの回転のために構成されているドライブシャフトと、
概ね前記カテーテル体の縦軸の周りの回転のために、概ね前記カテーテル体の前記遠位端に位置しているカッターであって、前記カッターは、近位端部分と、遠位端部分と、前記近位部分と前記遠位端部分との間に延びている中心縦軸とを有し、前記カッターは、
身体管腔から組織を除去するための前記カッターの前記遠位端部分における環状切断縁と、
前記カッターの内部表面によって画定される組織通路であって、前記組織通路は、前記環状切断縁から近位に延びており、前記組織通路は、前記環状切断縁に隣接する入口と、前記カッターを通して延びている出口とを有する、組織通路と、
前記カッターの前記遠位端部分における偏心ステムであって、前記偏心ステムは、前記ドライブシャフトに動作可能に接続されており、前記偏心ステムは、前記カテーテルの前記中心縦軸の周りの回転を前記カッターに選択的に与え、前記偏心ステムは、前記カッターの中心縦軸から半径方向にオフセットされている縦軸を有する、偏心ステムと
を含む、カッターと、
前記カッターの前記組織通路を前記カテーテル体の前記内部組織移送通路と接続する内部通路を画定するカッターアダプタと
を備え、
前記カッターアダプタは、前記内部通路内に内部ねじ山を含み、前記偏心ステムおよび前記内部ねじ山は、前記カッターが前記ドライブシャフトによって回転させられるにつれて、前記偏心ステムが前記内部ねじ山に沿って乗るように構成されている、カテーテル。
【請求項２】
前記組織通路は、前記カッターの前記中心縦軸から角度オフセットされた中心軸を有する、請求項１に記載のカテーテル。
【請求項３】
前記組織通路は、前記偏心ステムを通して延びている、請求項２に記載のカテーテル。
【請求項４】
前記カッターアダプタは、遠位部分を含み、前記遠位部分は、前記内部ねじ山を画定する、請求項１に記載のカテーテル。
【請求項５】
前記カッターは、前記カッターアダプタの前記遠位部分内に受け取られる、請求項４に記載のカテーテル。
【請求項６】
前記カッターは、前記カッターアダプタに対する前記カッターの回転を可能にするために、前記カッターアダプタの前記遠位部分に係合する円筒形軸受部分を含む、請求項５に記載のカテーテル。
【請求項７】
前記内部ねじ山は、前記カッターアダプタの前記遠位部分の長さに沿って延びている、請求項１に記載のカテーテル。
【請求項８】
前記ドライブシャフトは、外部ねじ山である、請求項１に記載のカテーテル。
【請求項９】
前記偏心ステムは、前記ステムの長さに沿って延びている溝部を有する、請求項１に記載のカテーテル。
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
遊技媒体を利用して遊技を行う遊技機であって、
複数の挿入部と該複数の挿入部を互いに連結するリブ部とを有する第１の遊技部品と、
被挿入部を有する第２の遊技部品と、
を備え、
前記被挿入部の開口部は前記複数の挿入部および前記リブ部を受け入れ可能な形状を有し、前記複数の挿入部および前記リブ部は前記被挿入部に挿入された状態で、前記第１の遊技部品に前記第２の遊技部品が取り付けられており、
前記複数の挿入部の先端部と前記リブ部の先端部とは面一に形成されている
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技媒体を利用して遊技を行う遊技機であって、
複数の挿入部と該複数の挿入部を互いに連結するリブ部とを有する第１の遊技部品と、
被挿入部を有する第２の遊技部品と、
を備え、
前記被挿入部の開口部は前記複数の挿入部および前記リブ部を受け入れ可能な形状を有し、前記複数の挿入部および前記リブ部は前記被挿入部に挿入された状態で、前記第１の遊技部品に前記第２の遊技部品が取り付けられており、
前記複数の挿入部の先端部と前記リブ部の先端部とは面一に形成されている
ことを特徴とする。
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
遊技球が流下する遊技領域を有する遊技盤を備えた遊技機本体と、
前記遊技領域へ遊技球を打ち出す発射装置と、
前記遊技領域に設けられた始動領域に遊技球が入球したことに基づいて、当落の判定を行う抽選手段と、
前記抽選手段の結果によって演出を決定する演出決定手段と、
前記演出決定手段によって決定された演出を実行する演出実行手段と、
遊技者が操作可能な演出操作手段と、
遊技者が触れることが可能であり、遊技者の行為を受け付け可能な行為受付手段と、
前記始動領域に遊技球が入球したことに基づいて所定数の遊技球を払い出す特典付与手段と、
前記特典付与手段によって払い出された遊技球を貯留し、前記発射装置へ遊技球を供給する皿部と、を有し、
前記行為受付手段は前記皿部に設けられている遊技機であって、
遊技の進行に伴って実行されている演出の所定のタイミングにおいて前記演出操作手段の操作を有効にする演出操作有効手段と、
遊技の進行に伴って前記演出操作手段が有効とされる前記所定のタイミングとは異なるタイミングにて前記行為受付手段への行為が行われた場合においても該行為の受け付けを有効とし、前記行為受付手段への行為に応じて複数段階の表示態様のうちの所定段階の表示態様を表示し、当該所定段階の表示態様を前記複数段階のいずれの段階であるかを遊技者が認識可能に前記所定段階以下の段階も含めた態様で表示する行為反映手段を備え、
前記所定段階以下の段階も含めた態様で表示する際、前記所定段階の表示画像と前記所定段階以下の表示画像とが異なるようになされている
ことを特徴とする遊技機。
【手続補正２】
【補正対象書類名】明細書
【補正対象項目名】０００７
【補正方法】変更
【補正の内容】
【０００７】
上述した工夫によって興趣を維持しようとはするものの、多少の不満を感じる遊技者も少なからず存在する。本発明が解決しようとする課題は、多少なりとも不満を和らげることを可能とする遊技機の提供にある。
【手続補正３】
【補正対象書類名】明細書
【補正対象項目名】０００８
【補正方法】変更
【補正の内容】
【０００８】
上記課題を解決するために、本発明は、遊技球が流下する遊技領域を有する遊技盤を備えた遊技機本体と、前記遊技領域へ遊技球を打ち出す発射装置と、前記遊技領域に設けられた始動領域に遊技球が入球したことに基づいて、当落の判定を行う抽選手段と、前記抽選手段の結果によって演出を決定する演出決定手段と、前記演出決定手段によって決定された演出を実行する演出実行手段と、遊技者が操作可能な演出操作手段と、遊技者が触れることが可能であり、遊技者の行為を受け付け可能な行為受付手段と、前記始動領域に遊技球が入球したことに基づいて所定数の遊技球を払い出す特典付与手段と、前記特典付与手段によって払い出された遊技球を貯留し、前記発射装置へ遊技球を供給する皿部と、を有し、前記行為受付手段は前記皿部に設けられている遊技機であって、遊技の進行に伴って実行されている演出の所定のタイミングにおいて前記演出操作手段の操作を有効にする演出操作有効手段と、遊技の進行に伴って前記演出操作手段が有効とされる前記所定のタイミングとは異なるタイミングにて前記行為受付手段への行為が行われた場合においても該行為の受け付けを有効とし、前記行為受付手段への行為に応じて複数段階の表示態様のうちの所定段階の表示態様を表示し、当該所定段階の表示態様を前記複数段階のいずれの段階であるかを遊技者が認識可能に前記所定段階以下の段階も含めた態様で表示する行為反映手段を備え、前記所定段階以下の段階も含めた態様で表示する際、前記所定段階の表示画像と前記所定段階以下の表示画像とが異なるようになされていることを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明によれば、多少なりとも不満を和らげることを可能とする遊技機を提供することができる。
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
第１判定を実行可能な第１判定手段と、
その第１判定手段により実行される前記第１判定の結果を示すための第１識別情報を動的表示可能な第１動的表示手段と、
前記第１判定とは異なる第２判定を実行可能な第２判定手段と、
その第２判定手段により実行される前記第２判定の結果を示すための第２識別情報を動的表示可能な第２動的表示手段と、
第１遊技状態と、その第１遊技状態とは異なる第２遊技状態と、を少なくとも含む複数の遊技状態のうち何れか１の遊技状態を設定可能な遊技状態設定手段と、を有し、
前記第１動的表示手段により動的表示されている前記第１識別情報が特定の前記第１判定の結果であることを示す特定の第１識別情報で停止表示された場合、または、前記第２動的表示手段により動的表示されている前記第２識別情報が特定の前記第２判定の結果であることを示す特定の第２識別情報で停止表示された場合に、それぞれに対応した特定遊技が実行される遊技機において、
前記第１動的表示手段は、前記第２動的表示手段により前記第２識別情報が動的表示されている状態でも前記第１識別情報を動的表示させることが可能であり、
前記遊技状態設定手段は、前記第１遊技状態が設定されている状態で前記第１判定が実行されることにより成立し得る第１条件が成立したことに基づいて、前記第２遊技状態を設定可能であり、
前記第１条件は、前記第１遊技状態中に実行される前記第２判定の回数に関わらず、前記第１遊技状態中に前記第１判定が予め定められた回数実行された場合に成立し得るものであることを特徴とする遊技機。
【請求項２】
前記特定遊技は、終了条件が成立するまで継続して実行されるものであることを特徴とする請求項１記載の遊技機。
【手続補正２】
【補正対象書類名】明細書
【補正対象項目名】０００２
【補正方法】変更
【補正の内容】
【０００２】
従来より、パチンコ機などの遊技機は、遊技盤面上に設けられた始動口に遊技球が入球すると、遊技の当否が抽選され、その抽選結果に基づいた遊技が実行される構成が提案されている。
【手続補正３】
【補正対象書類名】明細書
【補正対象項目名】０００４
【補正方法】変更
【補正の内容】
【０００４】
しかしながら、更なる遊技の興趣向上が求められていた。
【手続補正４】
【補正対象書類名】明細書
【補正対象項目名】０００５
【補正方法】変更
【補正の内容】
【０００５】
本発明は、上記例示した問題点等を解決するためになされたものであり、遊技の興趣を向上することができる遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、第１判定を実行可能な第１判定手段と、その第１判定手段により実行される前記第１判定の結果を示すための第１識別情報を動的表示可能な第１動的表示手段と、前記第１判定とは異なる第２判定を実行可能な第２判定手段と、その第２判定手段により実行される前記第２判定の結果を示すための第２識別情報を動的表示可能な第２動的表示手段と、第１遊技状態と、その第１遊技状態とは異なる第２遊技状態と、を少なくとも含む複数の遊技状態のうち何れか１の遊技状態を設定可能な遊技状態設定手段と、を有し、前記第１動的表示手段により動的表示されている前記第１識別情報が特定の前記第１判定の結果であることを示す特定の第１識別情報で停止表示された場合、または、前記第２動的表示手段により動的表示されている前記第２識別情報が特定の前記第２判定の結果であることを示す特定の第２識別情報で停止表示された場合に、それぞれに対応した特定遊技が実行され、前記第１動的表示手段は、前記第２動的表示手段により前記第２識別情報が動的表示されている状態でも前記第１識別情報を動的表示させることが可能であり、前記遊技状態設定手段は、前記第１遊技状態が設定されている状態で前記第１判定が実行されることにより成立し得る第１条件が成立したことに基づいて、前記第２遊技状態を設定可能であり、前記第１条件は、前記第１遊技状態中に実行される前記第２判定の回数に関わらず、前記第１遊技状態中に前記第１判定が予め定められた回数実行された場合に成立し得るものである。
請求項２記載の遊技機は、請求項１記載の遊技機において、前記特定遊技は、終了条件が成立するまで継続して実行されるものである。
【手続補正６】
【補正対象書類名】明細書
【補正対象項目名】０００７
【補正方法】変更
【補正の内容】
【０００７】
請求項１記載の遊技機によれば、第１判定を実行可能な第１判定手段と、その第１判定手段により実行される前記第１判定の結果を示すための第１識別情報を動的表示可能な第１動的表示手段と、前記第１判定とは異なる第２判定を実行可能な第２判定手段と、その第２判定手段により実行される前記第２判定の結果を示すための第２識別情報を動的表示可能な第２動的表示手段と、第１遊技状態と、その第１遊技状態とは異なる第２遊技状態と、を少なくとも含む複数の遊技状態のうち何れか１の遊技状態を設定可能な遊技状態設定手段と、を有し、前記第１動的表示手段により動的表示されている前記第１識別情報が特定の前記第１判定の結果であることを示す特定の第１識別情報で停止表示された場合、または、前記第２動的表示手段により動的表示されている前記第２識別情報が特定の前記第２判定の結果であることを示す特定の第２識別情報で停止表示された場合に、それぞれに対応した特定遊技が実行され、前記第１動的表示手段は、前記第２動的表示手段により前記第２識別情報が動的表示されている状態でも前記第１識別情報を動的表示させることが可能であり、前記遊技状態設定手段は、前記第１遊技状態が設定されている状態で前記第１判定が実行されることにより成立し得る第１条件が成立したことに基づいて、前記第２遊技状態を設定可能であり、前記第１条件は、前記第１遊技状態中に実行される前記第２判定の回数に関わらず、前記第１遊技状態中に前記第１判定が予め定められた回数実行された場合に成立し得るものである。
【手続補正７】
【補正対象書類名】明細書
【補正対象項目名】０００８
【補正方法】変更
【補正の内容】
【０００８】
これにより、遊技の興趣を向上することができるという効果がある。
【手続補正８】
【補正対象書類名】明細書
【補正対象項目名】０００９
【補正方法】変更
【補正の内容】
【０００９】
請求項２記載の遊技機によれば、請求項１に記載の遊技機の奏する効果に加え、次の効果を奏する。即ち、前記特定遊技は、終了条件が成立するまで継続して実行されるものである。これにより、終了条件が成立するまで特定遊技を楽しませることができるという効果がある。
【手続補正９】
【補正対象書類名】明細書
【補正対象項目名】０６４６
【補正方法】変更
【補正の内容】
【０６４６】
１０          パチンコ機（遊技機）
Ｓ３０５ 第１判定手段
Ｓ７０５ 第２判定手段
Ｓ１２８２ 遊技状態設定手段
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
各々に複数種類の図柄が付された複数の可動表示体と、該可動表示体に付された図柄を所定個数分の図柄群として表示可能とする図柄表示部とを備え、遊技価値の投入と遊技者の始動操作とにより複数の前記可動表示体の変動を開始させ、変動する前記可動表示体の停止操作が受け付けられると、前記図柄表示部に１回のゲームの結果が表示される遊技機であって、
ゲームの進行に伴う複数の演出態様を遊技機の外部に向けて実行する演出実行手段と、
前記複数の演出態様からゲームの進行に応じた演出態様を選択する演出態様選択手段と、
１回のゲームごとに複数の役の中からいずれかを選び出す抽選を行う内部抽選手段と、
前記抽選の結果に基づいて、変動する複数の前記可動表示体の変動停止を制御する可動表示体停止制御手段と、
前記抽選にて所定の入賞役が選び出されたことに基づいて該入賞役に対応する図柄組み合わせ態様が所定の有効表示位置に表示されると、所定数の遊技価値を付与可能な遊技価値付与手段と、
前記遊技価値の付与にかかわる付与音を出力する付与音出力手段と、
前記抽選にて再ゲーム役が選び出されたことに基づいて該再ゲーム役に対応する図柄組み合わせ態様が前記有効表示位置に表示されると、前記遊技価値を投入することなくゲームを実行できる機会を付与可能な再ゲーム付与手段と、
を備え、
前記複数の役には、特別役と小役と特定役とが少なくとも含まれるとともに、前記特別役と前記特定役との両方が選び出される共益当選役も含まれており、
前記遊技価値付与手段は、
前記抽選にて前記特定役が選び出されたことに基づいて前記有効表示位置に特定の組み合わせ態様が表示されると、最小単位数である数量１の遊技価値を付与する最小単位遊技価値付与手段を有し、
前記演出実行手段は、
前記遊技価値付与手段による所定数の遊技価値が付与される場合に当該遊技価値の付与が実行されていることを知らせる特別演出を実行する特別演出実行手段、及び
前記抽選にて前記特定役と前記共益当選役とのいずれが選び出された場合であっても、前記最小単位遊技価値付与手段により数量１の遊技価値が付与される場合に当該遊技価値の付与が実行されていることを知らせない通常演出を実行する通常演出実行手段を有し、
前記付与音出力手段は、
前記所定数の遊技価値が付与されるときには前記付与音を出力するものの、前記最小単位数の遊技価値が付与されるときには前記付与音の出力を不実行とし、
さらに、
前記抽選にて前記特定役が選び出されたことに基づいて前記特定の組み合わせ態様が表示されて数量１の遊技価値が付与された以降のゲームにおいて、遊技状態を、通常の遊技状態よりも遊技者に有利な有利状態に制御しうる遊技状態制御手段を備え、
前記遊技状態制御手段は、
前記抽選にて前記特定役が選び出されたことに基づいて前記特定の組み合わせ態様が表示されて数量１の遊技価値が付与された以降のゲームにおいて前記有利状態に制御するにあたり、前記抽選にて前記再ゲーム役が選び出される確率が前記通常の遊技状態よりも高められるゲームが、複数ゲームにわたって行われるよう制御する手段を有する
ことを特徴とする遊技機。
【手続補正２】
【補正対象書類名】明細書
【補正対象項目名】０００９
【補正方法】変更
【補正の内容】
【０００９】
各々に複数種類の図柄が付された複数の可動表示体と、該可動表示体に付された図柄を所定個数分の図柄群として表示可能とする図柄表示部とを備え、遊技価値の投入と遊技者の始動操作とにより複数の前記可動表示体の変動を開始させ、変動する前記可動表示体の停止操作が受け付けられると、前記図柄表示部に１回のゲームの結果が表示される遊技機であって、ゲームの進行に伴う複数の演出態様を遊技機の外部に向けて実行する演出実行手段と、前記複数の演出態様からゲームの進行に応じた演出態様を選択する演出態様選択手段と、１回のゲームごとに複数の役の中からいずれかを選び出す抽選を行う内部抽選手段と、前記抽選の結果に基づいて、変動する複数の前記可動表示体の変動停止を制御する可動表示体停止制御手段と、前記抽選にて所定の入賞役が選び出されたことに基づいて該入賞役に対応する図柄組み合わせ態様が所定の有効表示位置に表示されると、所定数の遊技価値を付与可能な遊技価値付与手段と、前記遊技価値の付与にかかわる付与音を出力する付与音出力手段と、前記抽選にて再ゲーム役が選び出されたことに基づいて該再ゲーム役に対応する図柄組み合わせ態様が前記有効表示位置に表示されると、前記遊技価値を投入することなくゲームを実行できる機会を付与可能な再ゲーム付与手段と、を備え、前記複数の役には、特別役と小役と特定役とが少なくとも含まれるとともに、前記特別役と前記特定役との両方が選び出される共益当選役も含まれており、前記遊技価値付与手段は、前記抽選にて前記特定役が選び出されたことに基づいて前記有効表示位置に特定の組み合わせ態様が表示されると、最小単位数である数量１の遊技価値を付与する最小単位遊技価値付与手段を有し、前記演出実行手段は、前記遊技価値付与手段による所定数の遊技価値が付与される場合に当該遊技価値の付与が実行されていることを知らせる特別演出を実行する特別演出実行手段、及び前記抽選にて前記特定役と前記共益当選役とのいずれが選び出された場合であっても、前記最小単位遊技価値付与手段により数量１の遊技価値が付与される場合に当該遊技価値の付与が実行されていることを知らせない通常演出を実行する通常演出実行手段を有し、前記付与音出力手段は、前記所定数の遊技価値が付与されるときには前記付与音を出力するものの、前記最小単位数の遊技価値が付与されるときには前記付与音の出力を不実行とし、さらに、前記抽選にて前記特定役が選び出されたことに基づいて前記特定の組み合わせ態様が表示されて数量１の遊技価値が付与された以降のゲームにおいて、遊技状態を、通常の遊技状態よりも遊技者に有利な有利状態に制御しうる遊技状態制御手段を備え、前記遊技状態制御手段は、前記抽選にて前記特定役が選び出されたことに基づいて前記特定の組み合わせ態様が表示されて数量１の遊技価値が付与された以降のゲームにおいて前記有利状態に制御するにあたり、前記抽選にて前記再ゲーム役が選び出される確率が前記通常の遊技状態よりも高められるゲームが、複数ゲームにわたって行われるよう制御する手段を有することを特徴とする遊技機。
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
以下のプローブ（ａ）とプローブ（ｃ）とを搭載した、細菌叢解析用デバイス。
（ａ）腸内、皮膚、口内、土壌、海水、河川又は活性汚泥に含まれる細菌から選ばれる検出の対象となる２種以上の細菌のそれぞれに特異的な１６ＳｒＲＮＡにハイブリダイズする核酸からなるプローブ、又は当該核酸の相補配列核酸からなるプローブ
（ｃ）被検試料中に含まれる細菌に由来する核酸にはハイブリダイズせず、被検試料中に含まれる細菌のＤＮＡが増幅されないように人工的に設計された核酸にハイブリダイズする、１種類又は複数 種類の絶対量指標プローブ
【請求項２】
デバイスが、繊維型ＤＮＡマイクロアレイである請求項１に記載のデバイス。
【請求項３】
口内に含まれる細菌が、Ｐｏｒｐｈｙｒｏｍｏｎａｓ属、Ｔａｎｎｅｒｅｌｌａ属又はＴｒｅｐｏｎｅｍａ属に属する細菌である、請求項１又は２に記載のデバイス。
【請求項４】
以下の工程を含む、検出対象菌種のコピー数を演算する方法。
（１）予め単離された検出対象細菌のそれぞれについて、腸内、皮膚、口内、土壌、海水、河川又は活性汚泥に含まれる細菌から選ばれる検出の対象となる２種以上の細菌のそれぞれに特異的な１６ＳｒＲＮＡにハイブリダイズする核酸からなるプローブ、又は当該核酸の相補配列核酸からなるプローブのシグナル強度を測定する工程
（２）前記シグナル強度と、絶対量指標プローブのシグナル強度とを比較し、係数を算出する工程
（３）前記（２）の工程で算出した算出値をプローブのハイブリダイゼーション効率係数とし、当該ハイブリダイゼーション効率係数を用いて被検試料から得られるデータの各検出対象菌種のコピー数を演算する工程
【請求項５】
以下の工程を含む、検出対象菌種の絶対量を推定する方法。
（１）予め単離された検出対象細菌のそれぞれについて、当該検出対象細菌を検出するためのプローブのシグナル強度比から係数を算出する工程
（２）上記（１）の工程で算出した算出値をプローブのハイブリダイゼーション効率係数とし、当該ハイブリダイゼーション効率係数を用いて被検サンプルから得られるデータの各検出対象菌種のコピー数を演算する工程
（３）上記（２）の工程で演算した演算後のシグナル強度を、絶対量指標プローブのシグナル強度と比較する工程
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
ミラーアセンブリであって、
・第１凹部と、前記第１凹部を囲む側壁部と、前記第１凹部内に位置し、前記側壁部から突き出て少なくとも１つの第２凹部と対応する少なくとも１つの設置部と、を有し、前記第１凹部の開口部と前記第２凹部の開口部が互いに反対の方向に面し、前記第１凹部と前記第２凹部が前記側壁部により隔てられている基盤と、
・前記基盤上に設けられ、前記第１凹部を覆う第１ミラーと、
・前記設置部上に設けられ、前記第１凹部内に位置する、少なくとも１つの第１磁性部品と、
・前記第２凹部に挿入され、前記第１磁性部品と互いを引き寄せあう少なくとも１つの第２磁性部品と、
・前記基盤に対して旋回するために前記第２磁性部品と枢着された、少なくとも１つの補助フレームと、
・前記補助フレーム上に設けられた、少なくとも１つの第２ミラーと、
を備える、ミラーアセンブリ。
【請求項２】
請求項１に記載のミラーアセンブリであって、前記第１磁性部品と前記第２磁性部品が２つの磁性部材である、ミラーアセンブリ。
【請求項３】
請求項１または２に記載のミラーアセンブリであって、前記第１磁性部品と前記第２磁性部品のうちの一方が磁性部材であり、前記第１磁性部品と前記第２磁性部品のうちの他方が常磁性部材または強磁性部材である、ミラーアセンブリ。
【請求項４】
請求項１〜３の何れか１項に記載のミラーアセンブリであって、
・少なくとも１つのピンであって、前記補助フレームが前記ピンにより前記第２磁性部品に枢結されるピン、
をさらに備える、ミラーアセンブリ。
【請求項５】
請求項１〜４の何れか１項に記載のミラーアセンブリであって、前記補助フレームがプレートと、前記プレートに結合された拡張部と、前記拡張部に結合されたピボット部を備え、前記第２ミラーが前記プレート上に設けられ、前記拡張部が前記プレートと前記ピボット部の間に配置され、前記ピボット部が前記第２磁性部品に枢結されている、ミラーアセンブリ。
【手続補正２】
【補正対象書類名】明細書
【補正対象項目名】０００５
【補正方法】変更
【補正の内容】
【０００５】
本発明の開示は、基盤、第１ミラー、少なくとも１つの第１磁性部品、少なくとも１つの第２磁性部品、少なくとも１つの補助フレーム、少なくとも１つの第２ミラーを有するミラーアセンブリを提案するものである。基盤は第１凹部と、第１凹部を囲む側壁部と、第１凹部内に位置し、側壁部から突き出て少なくとも１つの第２凹部と対応する少なくとも１つの設置部を備える。第１凹部の開口部と第２凹部の開口部が互いに反対の方向に面し、第１凹部と第２凹部が側壁部により隔てられている。第１ミラーは基盤上に設けられ、第１凹部を覆っている。第１磁性部品は設置部上に設けられ、第１凹部内に位置する。第２磁性部品は第２凹部に挿入され、第１磁性部品と第２磁性部品は互いに引き寄せあう。補助フレームは基盤に対して旋回するために第２磁性部品と枢着される。第２ミラーは補助フレーム上に設けられる。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
以下を含む、移植療法に適するＲＰＥ細胞調製物を生成する方法：
（ａ）ＲＰＥ細胞であって、ヒト胚性幹細胞をin vitroで分化させて生成した、敷石状の細胞形態及び色素沈着を有し、ＲＰＥ６５を発現する細胞を含む、ＲＰＥ細胞を得ること、
（ｂ）該ＲＰＥ細胞が脱分化し、色素沈着及び上皮性の形態を消失するように、前記ＲＰＥ細胞を増殖すること；
（ｃ）脱分化した前記細胞に単層を形成させ静止状態にして、色素沈着及び上皮性の形態を回復させること；ならびに
（ｄ）前記ＲＰＥ細胞のさらなる増殖を、ステップ（ｂ）及び（ｃ）を複数回の継代により反復して行うこと。
【請求項２】
ＲＰＥ細胞調製物が高純度のＲＰＥ細胞調製物である請求項１に記載の方法。
【請求項３】
ＲＰＥ細胞調製物がヒト調製物である請求項１又は２に記載の方法。
【請求項４】
脱分化し色素沈着及び上皮性の形態を消失した細胞が、ｍｉｔｆ、Ｐａｘ６、チューブリンβＩＩＩ及びネスチンに陽性である、請求項３に記載の方法。
【請求項５】
単層がＰａｘ６−、ベストロフィン＋、ＣＲＡＬＢＰ＋、ＰＥＤＦ＋でありＲＰＥ６５を発現する細胞を包含する、請求項１〜４のいずれかに記載の方法。
【請求項６】
移植療法に適するＲＰＥ細胞調製物が、懸濁液中に与えられるか又はマトリックスもしくは基質とともに与えられる請求項１〜５のいずれかに記載の方法。
【請求項７】
請求項１〜６のいずれかに記載の方法により製造されたＲＰＥ細胞調製物の使用であって、網膜変性の処置のための薬剤の製造のための使用。
【請求項８】
網膜変性が加齢性黄斑変性症又は黄斑ジストロフィーのような黄斑変性である請求項７に記載の使用。
【請求項９】
請求項１〜６のいずれかに記載の方法により製造されたＲＰＥ細胞調製物の使用であって、病的近視の処置のための薬剤の製造のための使用。
【請求項１０】
請求項１〜６のいずれかに記載の方法により製造されたＲＰＥ細胞調製物の使用であって、網膜色素変性症の処置のための薬剤の製造のための使用。
【請求項１１】
請求項１〜６のいずれかに記載の方法により製造されたＲＰＥ細胞調製物であって、加齢性黄斑変性症又は黄斑ジストロフィーのような黄斑変性の処置に用いるためのＲＰＥ細胞調製物。
【請求項１２】
請求項１〜６のいずれかに記載の方法により製造されたＲＰＥ細胞調製物であって、ＲＰＥ細胞が懸濁液中に与えられるか又はマトリックスもしくは基質において与えられ、前記調製物は網膜下移植に適するＲＰＥ細胞調製物。  
【請求項１３】
請求項８に記載の使用であって、黄斑変性が黄斑ジストロフィーであり、ＲＰＥ細胞が懸濁液中に与えられる、使用。
【請求項１４】
請求項１１に記載のＲＰＥ細胞調製物であって、黄斑変性が黄斑ジストロフィーであり、ＲＰＥ細胞が懸濁液中に与えられる、ＲＰＥ細胞調製物。
【請求項１５】
請求項１３に記載のＲＰＥ細胞調製物の使用であって、該ＲＰＥ細胞が網膜下の空間に移植される、使用。
【請求項１６】
請求項１４に記載の使用のためのＲＰＥ細胞調製物であって、該ＲＰＥ細胞が網膜下の空間に移植される、ＲＰＥ細胞調製物。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
散気装置の上部に設置された状態で使用される気体溶解促進補助具であって、
開口部を下に向けた状態で設置されるとともに天板に貫通孔が設けられた箱状部材と、
鉛直方向と平行をなすように設置された筒状部材と、を備え、
この筒状部材は、前記天板から下方へ突出する長さが前記箱状部材の深さを超えないように前記貫通孔に挿設され、
前記箱状部材は、前記天板の前記貫通孔が設けられていない箇所に滑らかな山型状の突起部が内側へ向かって盛り上がるように、かつ、その高さが前記筒状部材の前記天板から下方へ突出する長さを超えないように形成されたことを特徴とする気体溶解促進補助具。
【請求項２】
前記箱状部材と同じ構造を有し、前記筒状部材と前記突起部がそれぞれ設けられた第１の箱状部材及び第２の箱状部材を備え、
前記第２の箱状部材は、前記筒状部材の上端開口部が前記第１の箱状部材の前記突起部の先端の直下に配置されるように前記第１の箱状部材の下方に設置されたことを特徴とする請求項１に記載の気体溶解促進補助具。
【請求項３】
前記第２の箱状部材の前記筒状部材は、その上端が前記天板の上方へ突出するように前記貫通孔に挿設されたことを特徴とする請求項２に記載の気体溶解促進補助具。
【請求項４】
前記第２の箱状部材の前記筒状部材は、その上端が前記第１の箱状部材の前記筒状部材の下端よりも下方に配置されるように前記天板の前記貫通孔に挿設されたことを特徴とする請求項３に記載の気体溶解促進補助具。
【請求項５】
棒状の連結具を備え、
前記第１の箱状部材及び前記第２の箱状部材は、前記連結具の上端及び下端をそれぞれ保持可能に形成される保持部が対向するように互いの側板にそれぞれ設けられたことを特徴とする請求項２乃至請求項４のいずれか１項に記載の気体溶解促進補助具。
【請求項６】
前記第２の箱状部材に設置された前記筒状部材は、側面に所望の幅のスリットが設けられるとともに、このスリットの最上部が前記第２の箱状部材に形成された前記突起部の先端よりも下方に配置されるように、前記天板の前記貫通孔に挿設されたことを特徴とする請求項２乃至請求項５のいずれか１項に記載の気体溶解促進補助具。
【手続補正２】
【補正対象書類名】明細書
【補正対象項目名】００１６
【補正方法】変更
【補正の内容】
【００１６】
第６の発明は、第３の発明乃至第５の発明のいずれかにおいて、棒状の連結具を備え、第１の箱状部材及び第２の箱状部材は、この連結具の上端及び下端をそれぞれ保持可能に形成される保持部が対向するように互いの側板にそれぞれ設けられたことを特徴とするものである。
このような構造の気体溶解促進補助具においては、第３の発明乃至第５の発明のいずれかの作用に加えて、上下に配置された第１の箱状部材及び第２の箱状部材が保持部に設置された連結具を介して互いに連結されるという作用を有する。
【手続補正３】
【補正対象書類名】明細書
【補正対象項目名】００２８
【補正方法】変更
【補正の内容】
【００２８】
図１は本発明の気体溶解促進補助具の外観の一例を示す斜視図であり、図２（ａ）及び図２（ｃ）はそれぞれ図１におけるＡ−Ａ線矢視断面図及びＢ−Ｂ線矢視断面図である。そして、図２（ｂ）は筒状部材の外観を拡大して示した斜視図である。なお、図２（ｃ）は図２（ａ）における箱状部材が水中に設置された状態を想定した図である。ただし、図２（ａ）及び図２（ｃ）では散気装置と固定手段の図示を省略している。また、図２（ｃ）では箱状部材の側板に設けられた保持部の構造を説明するために連結具を破線で示している。
図３は散気装置から筒状部材の内部に供給された気泡の挙動を説明するための図である。なお、図３（ａ）は図２（ｂ）において箱状部材の下方に散気装置が設置された状態を表しており、図３（ｂ）は図３（ａ）において筒状部材を拡大した図である。また、図３（ａ）では固定手段の図示を省略している。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
液体スプレーガンを提供するために、液体スプレーガンプラットフォームとともに使用するためのバレルであって、
少なくとも１つの中央空気送達通路、及び少なくとも１つの液体処理通路を有する本体と、
損傷又は破壊することなしに前記本体から除去できないノズルと、を備え、
前記ノズルは、
前記本体の前記少なくとも１つの液体処理通路と流体的に連通する液体放出オリフィスを画定し、且つ、
前記本体の前記少なくとも１つの中央空気送達通路と流体的に連通する中央空気オリフィスを画定する、
バレル。
【請求項２】
前記ノズルは、前記液体放出オリフィスを画定する環状の先端部と、フランジと、を有し、前記フランジの少なくとも一部は、前記環状の先端部から径方向外側に離隔され、
前記中央空気オリフィスは、
環状の先端部の、径方向外側に面する表面と、フランジの、径方向内側に面する表面と、の間に画定されると共に、
前記液体放出オリフィスを包囲して、前記ノズルの前記中央空気オリフィスから放出された空気が前記液体放出オリフィスから出てくる液体を霧化して微細な液滴の流れを形成するように構成されている、請求項１に記載のノズル。
【請求項３】
前記バレルの前記本体と、前記ノズルとは、一体成形プラスチックの一部分である、請求項１または２に記載のバレル。
【請求項４】
前記バレルに取り付けられるエアキャップを更に備え、
前記エアキャップは、少なくとも２つのエアホーンを有し、
前記エアホーンは、
前記バレルの前記液体放出オリフィスを超えて前方に突出し、且つ
複数の開口を集合的に含み、
前記複数の開口の少なくともいくつかは、前記バレルの前記液体放出オリフィスを通る液体流れの方向に概ね整列する軸とは反対側に配置される、請求項１から３のいずれかに記載のバレル。
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による当り判定にて所定の結果が得られたことに基づいて遊技者に特典を付与しうる特典付与手段と、
遊技者による所定動作を演出に供されるように受付対象とする第１動作受付部材と、
遊技者による特定動作を演出に供されるように受付対象とし、前記第１動作受付部材とは異なる第２動作受付部材と、
前記判定手段による当り判定の結果に基づいて第１の演出条件が満たされた場合、前記第１動作受付部材による前記所定動作の受付けは許容されるが前記第２動作受付部材による前記特定動作の受付けは許容されない第１の演出受付期間を発生し、該第１の演出受付期間内で前記所定動作の受付けがなされると第１の操作後演出を実行可能な第１演出受付期間演出手段と、
前記判定手段による当り判定の結果に基づいて第２の演出条件が満たされた場合、前記第１動作受付部材による前記所定動作の受付けは許容されないが前記第２動作受付部材による前記特定動作の受付けは許容される第２の演出受付期間を発生し、該第２の演出受付期間内で前記特定動作の受付けがなされると第２の操作後演出を実行可能な第２演出受付期間演出手段と、
前記判定手段による当り判定の結果に基づいて第３の演出条件が満たされた場合、前記第１動作受付部材による前記所定動作の受付けは許容されるが前記第２動作受付部材による前記特定動作の受付けは許容されない第３の演出受付期間を発生し、該第３の演出受付期間内で前記所定動作の受付けがなされると前記第２の操作後演出と同じ第３の操作後演出を実行可能な第３演出受付期間演出手段と
を備え、
前記第１の演出受付期間及び前記第２の演出受付期間は、同じ変動パターン内でそれぞれ発生可能とされ、前記第２の演出受付期間は、前記第１の演出受付期間よりも後に発生するようになっており、
さらに、
前記第２の演出受付期間が発生するときには、前記第１の演出受付期間または前記第３の演出受付期間が発生する場合にこれに先立って実行されることがない特別の前兆演出表示が、該第２の演出受付期間の発生に先立って実行可能である
ことを特徴とする遊技機。
【手続補正２】
【補正対象書類名】明細書
【補正対象項目名】０００４
【補正方法】変更
【補正の内容】
【０００４】
しかしながら、上記従来の遊技機では、遊技興趣が低下することが懸念される。
【手続補正３】
【補正対象書類名】明細書
【補正対象項目名】０００６
【補正方法】変更
【補正の内容】
【０００６】
手段１：判定を行う判定手段と、
前記判定手段による当り判定にて所定の結果が得られたことに基づいて遊技者に特典を付与しうる特典付与手段と、
遊技者による所定動作を演出に供されるように受付対象とする第１動作受付部材と、
遊技者による特定動作を演出に供されるように受付対象とし、前記第１動作受付部材とは異なる第２動作受付部材と、
前記判定手段による当り判定の結果に基づいて第１の演出条件が満たされた場合、前記第１動作受付部材による前記所定動作の受付けは許容されるが前記第２動作受付部材による前記特定動作の受付けは許容されない第１の演出受付期間を発生し、該第１の演出受付期間内で前記所定動作の受付けがなされると第１の操作後演出を実行可能な第１演出受付期間演出手段と、
前記判定手段による当り判定の結果に基づいて第２の演出条件が満たされた場合、前記第１動作受付部材による前記所定動作の受付けは許容されないが前記第２動作受付部材による前記特定動作の受付けは許容される第２の演出受付期間を発生し、該第２の演出受付期間内で前記特定動作の受付けがなされると第２の操作後演出を実行可能な第２演出受付期間演出手段と、
前記判定手段による当り判定の結果に基づいて第３の演出条件が満たされた場合、前記第１動作受付部材による前記所定動作の受付けは許容されるが前記第２動作受付部材による前記特定動作の受付けは許容されない第３の演出受付期間を発生し、該第３の演出受付期間内で前記所定動作の受付けがなされると前記第２の操作後演出と同じ第３の操作後演出を実行可能な第３演出受付期間演出手段と
を備え、
前記第１の演出受付期間及び前記第２の演出受付期間は、同じ変動パターン内でそれぞれ発生可能とされ、前記第２の演出受付期間は、前記第１の演出受付期間よりも後に発生するようになっており、
さらに、
前記第２の演出受付期間が発生するときには、前記第１の演出受付期間または前記第３の演出受付期間が発生する場合にこれに先立って実行されることがない特別の前兆演出表示が、該第２の演出受付期間の発生に先立って実行可能である
ことを特徴とする遊技機。
【手続補正４】
【補正対象書類名】明細書
【補正対象項目名】０００７
【補正方法】削除
【補正の内容】
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
所定条件の成立に基づいて、生成された乱数から乱数値を始動情報として取得し、当該取得された始動情報に基づいて抽選を実行するとともに、動的表示を実行可能とする遊技機であって、
前記動的表示が開始されるまで前記始動情報を記憶する保留記憶手段と、
前記始動情報を一時的に記憶する始動情報記憶手段と、
前記動的表示の開始時に、前記抽選を行う開始時抽選を実行する動的表示時判定手段と、
前記動的表示が開始される前に、前記抽選を行う事前抽選を実行する事前判定手段と、
を備え、
前記動的表示時判定手段は、
前記動的表示の開始時に、前記動的表示を開始する始動情報を前記始動情報記憶手段に記憶し、
前記始動情報記憶手段に記憶した始動情報に基づいて前記開始時抽選を実行し、
前記事前判定手段は、
前記動的表示が開始される前に、前記保留記憶手段に記憶される前記事前抽選の対象となる始動情報を前記始動情報記憶手段に記憶し、
前記始動情報記憶手段に記憶した始動情報に基づいて前記事前抽選を実行し、
前記開始時抽選と前記事前抽選において、前記抽選の結果を判定する処理が共通であり、
前記事前抽選を実行後、前記始動情報記憶手段に記憶された始動情報を初期化する
ことを特徴とする遊技機。
【手続補正２】
【補正対象書類名】明細書
【補正対象項目名】０００４
【補正方法】変更
【補正の内容】
【０００４】
上記した遊技機では、図柄の可変表示の開始時及び期待度の事前判定時に図柄の停止結果を判定する処理を実行する。しかしながら、図柄の停止結果の判定タイミングごとに異なる始動情報を参照する必要があるため、判定処理が複雑化したり、判定タイミングごとに別の処理を設けなければならなかったりする場合があった。
【手続補正３】
【補正対象書類名】明細書
【補正対象項目名】０００５
【補正方法】変更
【補正の内容】
【０００５】
本発明が解決しようとする課題は、上記事情に鑑みなされたもので、遊技制御に係る処理を共通化することを可能とする遊技機を提供する。
【手続補正４】
【補正対象書類名】明細書
【補正対象項目名】０００６
【補正方法】変更
【補正の内容】
【０００６】
本発明の代表的な一形態では、所定条件の成立に基づいて、生成された乱数から乱数値を始動情報として取得し、当該取得された始動情報に基づいて抽選を実行するとともに、動的表示を実行可能とする遊技機であって、前記動的表示が開始されるまで前記始動情報を記憶する保留記憶手段と、前記始動情報を一時的に記憶する始動情報記憶手段と、前記動的表示の開始時に、前記抽選を行う開始時抽選を実行する動的表示時判定手段と、前記動的表示が開始される前に、前記抽選を行う事前抽選を実行する事前判定手段と、を備え、前記動的表示時判定手段は、前記動的表示の開始時に、前記動的表示を開始する始動情報を前記始動情報記憶手段に記憶し、前記始動情報記憶手段に記憶した始動情報に基づいて前記開始時抽選を実行し、前記事前判定手段は、前記動的表示が開始される前に、前記保留記憶手段に記憶される前記事前抽選の対象となる始動情報を前記始動情報記憶手段に記憶し、前記始動情報記憶手段に記憶した始動情報に基づいて前記事前抽選を実行し、前記開始時抽選と前記事前抽選において、前記抽選の結果を判定する処理が共通であり、前記事前抽選を実行後、前記始動情報記憶手段に記憶された始動情報を初期化することを特徴とする遊技機。
【手続補正５】
【補正対象書類名】明細書
【補正対象項目名】０００７
【補正方法】変更
【補正の内容】
【０００７】
本発明の一形態によれば、上記課題を解決し、遊技制御に係る処理を共通化することができる。
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
遊技進行の制御を司る主制御手段と、
前記主制御手段からの指令に基づき遊技に関連する演出の制御を司る演出制御手段と、
前記演出制御手段によって制御され、遊技展開に応じた演出を行う少なくとも演出ランプを備えた演出手段とを有し、
前記演出制御手段における制御として、連続的に繰り返されるループ処理を含むメイン処理と、所定の条件が成立したときに前記メイン処理を中断させて開始される割込み処理とが実行される構成の遊技機であって、
前記演出制御手段の前記割込み処理には、前記主制御手段から送信される演出制御コマンドを受信するコマンド受信割込みを有し、
前記演出制御手段の前記メイン処理には、前記コマンド受信割込みで受信した演出制御コマンドを解析して、前記演出手段で実行する演出動作内容を決定するコマンド解析処理を有し、
前記コマンド解析処理において、解析する演出制御コマンドが変動表示を開始する際に送信される演出制御コマンドである場合には、当該変動表示において前記演出手段で実行すべき演出動作内容を決定する変動演出内容決定処理を実行し、
前記変動演出内容決定処理には、前記演出ランプに対する演出動作内容に係る情報を設定する処理が含まれ、
前記演出制御手段のメイン処理には、所定の演出ランプに対する演出動作内容に係る情報が設定されている場合には、前記演出ランプを点灯制御するための点灯パターンデータを設定するデバイス管理処理を有し、
前記演出制御手段の割込み処理には、所定の周期毎に前記デバイス管理処理によって設定されている全ての点灯パターンデータを前記演出ランプの制御回路に送信するランプデータ更新処理を有することを特徴とする遊技機。
【手続補正２】
【補正対象書類名】明細書
【補正対象項目名】０００６
【補正方法】変更
【補正の内容】
【０００６】
このような目的達成のために、本発明に係る遊技機は、遊技進行の制御を司る主制御手段と、主制御手段からの指令に基づき遊技に関連する演出の制御を司る演出制御手段と、演出制御手段によって制御され、遊技展開に応じた演出を行う少なくとも演出ランプを備えた演出手段とを有し、演出制御手段における制御として、連続的に繰り返されるループ処理を含むメイン処理と、所定の条件が成立したときにメイン処理を中断させて開始される割込み処理とが実行される構成の遊技機であって、演出制御手段の割込み処理には、主制御手段から送信される演出制御コマンドを受信するコマンド受信割込みを有し、演出制御手段のメイン処理には、コマンド受信割込みで受信した演出制御コマンドを解析して、演出手段で実行する演出動作内容を決定するコマンド解析処理を有し、コマンド解析処理において、解析する演出制御コマンドが変動表示を開始する際に送信される演出制御コマンドである場合には、当該変動表示において演出手段で実行すべき演出動作内容を決定する変動演出内容決定処理を実行し、変動演出内容決定処理には、演出ランプに対する演出動作内容に係る情報を設定する処理が含まれ、演出制御手段のメイン処理には、所定の演出ランプに対する演出動作内容に係る情報が設定されている場合には、演出ランプを点灯制御するための点灯パターンデータを設定するデバイス管理処理を有し、演出制御手段の割込み処理には、所定の周期毎にデバイス管理処理によって設定されている全ての点灯パターンデータを演出ランプの制御回路に送信するランプデータ更新処理を有するよう構成される。